(57)【要約】【課題】前後方からの排泄物の漏れが抑制された吸収性物品に関する。【解決手段】吸収性物品は、表面シートと吸収体を厚み方向に圧搾して形成される防漏溝を有する。防漏溝は、着用者の排泄部に対向する中間領域よりも前方にある前方領域から後方にある後方領域に亘って位置する一対の防漏縦溝と、前方領域及び後方領域それぞれに横方向に延びて位置する縦方向に延びる一対の防漏横溝と、を有する。前方領域及び後方領域それぞれにおいて、一対の防漏縦溝の横方向の間隔が最も広い最広部を規定する部分を通る縦方向に平行な一対の第１の仮想線を引き、一対の防漏横溝の縦方向における最端部を通る横方向に平行な第２の仮想線を引いたとき、一対の第１の仮想線よりも横方向外側の領域であって一対の第２の仮想線よりも縦方向外側にある第１の領域に存在する吸収性コアのパルプ密度は、一対の第１の仮想線よりも横方向外側の領域であって一対の第２の仮想線間にある第２の領域に存在する吸収性コアのパルプ密度以下である。【選択図】図５
2020188935.tif 000002
【特許請求の範囲】
【請求項１】
表面シートと、裏面シートと、前記表面シートと前記裏面シートの間に配置された、吸収性コアと前記吸収性コアの少なくとも一部を覆うコアラップシートを有する吸収体と、を具備し、着用者の前後方向に対応する縦方向及び前記縦方向に直交する横方向を有する吸収性物品であって、
前記吸収性物品は、前記吸収体の前記横方向における両側縁よりも中央部側に前記表面シートと前記吸収体を厚み方向に圧搾して形成される防漏溝を有し、
前記防漏溝は、前記横方向に二分する前記縦方向に延びる中心線を介して、前記着用者の排泄部に対向する中間領域よりも前方にある前方領域から後方にある後方領域に亘って位置する前記縦方向に延びる一対の防漏縦溝と、前記前方領域及び前記後方領域それぞれに前記中心線を跨いで前記横方向に延びて位置する一対の防漏横溝と、を有し、
前記前方領域及び前記後方領域それぞれにおいて、一対の前記防漏縦溝の前記横方向の間隔が最も広い最広部を規定する部分を通る前記縦方向に平行な一対の第１の仮想線を引き、一対の前記防漏横溝の前記縦方向における最端部を通る前記横方向に平行な一対の第２の仮想線を引いたとき、
前記吸収体の前記前方領域及び前記後方領域それぞれにおいて、一対の前記第１の仮想線よりも前記横方向外側の領域であって一対の前記第２の仮想線よりも前記縦方向外側にある第１の領域に存在する前記吸収性コアのパルプ密度は、一対の前記第１の仮想線よりも前記横方向外側の領域であって前記第２の仮想線よりも前記縦方向内側にある第２の領域に存在する前記吸収性コアのパルプ密度以下である
吸収性物品。
【請求項２】
前記吸収体の前記第２の領域に存在する前記吸収性コアのパルプ密度は、前記防漏溝が形成される領域に存在する前記吸収性コアのパルプ密度よりも小さい
請求項１に記載の吸収性物品。
【請求項３】
前記吸収体は、前記厚み方向からの平面視で、前記コアラップシートが前記吸収性コアの前記縦方向における前端縁及び後端縁の少なくとも一方から延在して構成される
請求項１又は請求項２に記載の吸収性物品。
【請求項４】
平面視で前記吸収性コアから延在する部分の前記コアラップシートは、前記縦方向の長さが、前記横方向中央部よりも前記横方向両側方部の方が短い形状を有し、
前記吸収体は、前記縦方向における前端部及び後端部の少なくとも一方の前記横方向中央部に、厚み方向に圧搾されて形成される圧搾領域を有する
請求項３に記載の吸収性物品。
【請求項５】
前記圧搾領域は、前記縦方向に延びる線状の複数の圧搾溝が前記横方向に間欠配置されて構成される
請求項４に記載の吸収性物品。
【請求項６】
前記吸収体は、前記横方向中央部に配置される前記コアラップシートの枚数が前記横方向両側方部よりも多い多層コアラップシート領域を有し、
前記多層コアラップシート領域と前記圧搾領域とは平面視で重なっている
請求項４又は５に記載の吸収性物品。
【発明の詳細な説明】
【技術分野】
【０００１】
本発明は、生理用ナプキン等の吸収性物品に関する。
【背景技術】
【０００２】
特許文献１には、トップシートとバックシートとの間に吸収体が配されるナプキンが記載されている。ナプキンは、トップシートと吸収体とが一緒に厚さ方向に圧搾されてなる吸収体の外周縁に沿って形成される略環状の線状圧搾部を有している。
【先行技術文献】
【特許文献】
【０００３】
【特許文献１】特開２０１８−１０２８２６号公報
【発明の概要】
【発明が解決しようとする課題】
【０００４】
血液等の液状の排泄物は吸収性物品に形成される線状圧搾部で前後に拡散される。吸収性物品使用時、排泄物が多いときや長時間の使用では、線状圧搾部で排泄物が拡散されるとともに、前後端部から排泄物の漏れが誘発されやすい。
【０００５】
本発明の課題は、前後端部からの排泄物の漏れが抑制された吸収性物品に関する。
【課題を解決するための手段】
【０００６】
本発明の一形態に係る吸収性物品は、表面シートと、裏面シートと、吸収体と、を具備する。
上記吸収性物品は、着用者の前後方向に対応する縦方向及び前記縦方向に直交する横方向を有する。
上記吸収体は、吸収性コアと前記吸収性コアの少なくとも一部を覆うコアラップシートを有する。
上記吸収性物品は、上記吸収体の上記横方向における両側縁よりも中央部側に上記表面シートと上記吸収体を厚み方向に圧搾して形成される防漏溝を有する。
上記防漏溝は、上記横方向に二分する上記縦方向に延びる中心線を介して、上記着用者の排泄部に対向する中間領域よりも前方にある前方領域から後方にある後方領域に亘って位置する縦方向に延びる一対の防漏縦溝と、上記前方領域及び上記後方領域それぞれに上記中心線を跨いで上記横方向に延びて位置する一対の防漏横溝と、を有する。
上前方領域及び上記後方領域それぞれにおいて、一対の上記防漏縦溝の上記横方向の間隔が最も広い最広部を規定する部分を通る上記縦方向に平行な一対の第１の仮想線を引き、一対の上記防漏横溝の前記縦方向における最端部を通る上記横方向に平行な一対の第２の仮想線を引いたとき、
上記吸収体の上記前方領域及び上記後方領域それぞれにおいて、一対の上記第１の仮想線よりも上記横方向外側の領域であって一対の上記第２の仮想線よりも上記縦方向外側にある第１の領域に存在する上記吸収性コアのパルプ密度は、一対の上記第１の仮想線よりも上記横方向外側の領域であって一対の上記第２の仮想線間にある第２の領域に存在する上記吸収性コアのパルプ密度以下である。
【発明の効果】
【０００７】
以上のように、本発明の吸収性物品によれば、前後端部からの排泄物の漏れが抑制される。
【図面の簡単な説明】
【０００８】
【図１】本発明の実施形態に係る吸収性物品を示す平面図である。
【図２】図１のＩＩ−ＩＩ線で切断した吸収性物品の前方領域の断面図であり、縦溝部の図示を省略している。
【図３】上記吸収体を平面視したときの吸収性コア、コアラップシート、防漏溝、圧搾領域の位置関係を説明する平面図である。
【図４】上記吸収性物品の吸収体の一部を構成する吸収性コアの平面図である。
【図５】上記吸収性物品の平面図である。
【図６】図５のＶＩ−ＶＩ線で切断した吸収性物品の前方領域における部分拡大断面図である。
【図７】上記吸収体の製造工程を説明する概念図である。
【図８】変形例の吸収体を説明する図であり、当該吸収体を備える吸収性物品の前方領域を図６と同様に縦方向に切断した部分拡大断面図である。
【発明を実施するための形態】
【０００９】
以下、図面を参照しながら、本発明の実施形態を説明する。
［ナプキンの全体構成］
本実施形態の吸収性物品１は、図１に示すように、本体Ｍと、一対のウイング部Ｗと、を備える。吸収性物品１は、生理用ナプキンとして構成され、以下、ナプキン１と称する。ナプキン１は、後述する粘着部によって、着用者の着衣に固定されることが可能に構成される。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。
【００１０】
図１に示すように、ナプキン１は、縦方向に順に位置する前方領域Ｍ１と、中間領域Ｍ２と、後方領域Ｍ３とを有する。中間領域Ｍ２は、着用時に着用者の排泄部に主に対向する排泄部対向領域である。前方領域Ｍ１は、中間領域Ｍ２の前方にあり、着用時に着用者の排泄部より腹側に位置する領域である。後方領域Ｍ３は、中間領域Ｍ２の後方にあり、着用時に着用者の排泄部より背側に位置する領域である。
【００１１】
本体Ｍは、縦方向Ｘに沿って延び、着用時に着用者の着衣の内面に固定される。本体Ｍは、後述する吸収体１１を有しており、着用者の経血等の液状の排泄物（以下、体液と称する場合がある。）を吸収する機能を有する。
一対のウイング部Ｗは、中間領域Ｍ２において、本体Ｍを挟んで幅方向に互いに対向し、幅方向の外側に大きく突出するように構成される。
ウイング部Ｗは、装着時に下着を挟んで本体Ｍと対向するように折り曲げられ、装着者の下着の外面に固定される。ウイング部Ｗは、装着中におけるナプキン１の位置ずれを防止し、ナプキン１外部への体液の漏れを防止する。
【００１２】
ナプキン１は、吸収体１１を備えており、吸収体１１は、防漏溝２８、前方圧搾領域２及び後方圧搾領域４を有する。
防漏溝３８は、本体Ｍの後述する表面シート１２側に形成された圧搾溝である。前方圧搾領域２及び後方圧搾領域４は、それぞれ、吸収体１１の縦方向Ｘにおける前端部１１ａ、後端部１１ｂそれぞれの横方向Ｙ中央部に配置され、吸収体１１の横方向Ｙの側端縁よりも横方向Ｙ内側に配置される。防漏溝３８、前方圧搾領域２及び後方圧搾領域４の構成については、後述する。
【００１３】
図２に示すように、ナプキン１は、吸収体１１と、表面シート１２と、裏面シート１３と、一対のサイドシート１４と、粘着部（図示せず）と、を備える。本体Ｍにおいて、ナプキン１は、裏面シート１３、吸収体１１及び表面シート１２が厚み方向Ｚに積層された構成を有する。これらの構成は、例えば、接着剤やヒートシール等による接合、防漏溝３８による圧搾加工等によって、適宜接合されて一体化される。
【００１４】
吸収体１１は、縦方向Ｘに沿って延び、表面シート１２と裏面シート１３との間に配置される。吸収体１１は、体液を表面シート１２側の面から吸収し、内部で拡散させて当該体液を保持する。吸収体１１の構成については後述する。
【００１５】
表面シート１２は、液透過性のシート材として構成され、吸収体１１の厚み方向Ｚ上方に配置される。
表面シート１２は、例えば、上方に突出する複数の凸部１２ａを有する。凸部１２ａは、内部にも繊維が分布する中実な構成でもよいし、内部に繊維がほとんど存在しない中空な構成でもよい。凸部１２ａにより、着用時に着用者の肌と表面シート１２との接触面積を低減させることができ、通気性を高め、不快感を軽減させることができる。
【００１６】
裏面シート１３は、吸収体１１の厚み方向Ｚ下方に配置される。裏面シート１３は、例えば周縁部において、表面シート１２及びサイドシート１４と接着剤、熱シール等によって接合される。裏面シート１３は、接着剤等によって吸収体１１に接合されていてもよい。
裏面シート１３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。
【００１７】
図１に示すように、一対のサイドシート１４は、ナプキン１の横方向Ｙ周縁に配置され、表面シート１２を挟んで横方向Ｙに相互に対向する。サイドシート１４は、横方向Ｙ内方において接着剤等により表面シート１２に接合される。サイドシート１４の材料としては、表面シート１２よりも親水性が小さいシート材料が好ましく、具体的には、表面シートよりも親水性の低い不織布、フィルム材料、及び不織布とフィルム材料のラミネート構造のシートが挙げられる。
【００１８】
図示しない粘着部は、裏面シート１３の外面に設けられ、ナプキン１を着衣に対して固定させるずれ止め材としての機能を有する。
粘着部は、例えば、裏面シート１３に所定のパターンで粘着剤を塗工することにより形成される。粘着部に用いられる粘着剤として、好ましくは、ゴム系、オレフィン系、エチレン酢酸ビニル（ＥＶＡ）系等のホットメルト粘着剤が用いられる。
本実施形態において、粘着部は、本体Ｍ及びウイング部Ｗの裏面シート１３に設けられる。
【００１９】
［吸収体の構成］
図３に示すように、吸収体１１は、前端部１１ａ及び後端部１１ｂを有し、前端部１１ａから後端部１１ｂに向かって縦方向Ｘに延びる。前端部１１ａは前方領域Ｍ１内に位置し、後端部１１ｂは後方領域Ｍ３に位置している。
図２に示すように、吸収体１１は、表面シート１２と裏面シート１３との間に配置される。吸収体１１は、肌対向面において表面シート１２とホットメルト接着剤等の接着剤（図示せず）により接着されている。
吸収体１１は、吸収性コア２０と、コアラップシート７と、を有する。図３に示す吸収体１１の平面図において、コアラップシート７が位置する領域をドットで示している。
【００２０】
（吸収性コアの構成）
吸収性コア２０は、パルプなどの繊維材料が積繊されてなる繊維集合体であり、積繊装置を用いて製造することができる。吸収性コア２０を構成する繊維材料として主に用いられるのは親水性繊維である。親水性繊維としては、化学繊維に代表される、本来的に疎水性の繊維を親水化処理したものと、木材パルプに代表される、本体的に親水性の繊維とが挙げられ、これらの１種を単独で又は２種以上を組み合わせて用いることができる。
また、吸収性コア２０は、繊維材料に加えてさらに吸水性ポリマーを含有していても良い。これにより、吸収性コア２０の液保持力を高めることができる。吸水性ポリマーとしては、一般に球状、塊状、俵状又は不定形のいずれでもよい。吸水性ポリマーとしては、この種の吸収性物品において使用可能なものを特に制限なく用いることができ、例えば、アクリル酸又はアクリル酸アルカリ金属塩の重合物又は共重合物を用いることができる。
【００２１】
図２に示すように、吸収性コア２０は、着用者の肌面側に位置する肌対向面２９ａと、着用者の着衣側に位置する非肌対向面２９ｂとを有する。
図４に示すように、吸収性コア２０は、縦方向Ｘにおける前端縁２０ａ及び後端縁２０ｂを有し、前端縁２０ａから後端縁２０ｂに向かって縦方向Ｘに延びる。前端縁２０ａは前方領域Ｍ１内に位置し、後端縁２０ｂは後方領域Ｍ３に位置している。
【００２２】
図４に示すように、吸収性コア２０は、前方コア部２１と、中間コア部２２と、後方コア部２３と、を有する。前方コア部２１、中間コア部２２及び後方コア部２３は、縦方向Ｘに沿って並んでいる。中間コア部２２は主に着用者の排泄部に対向する領域であり、前方コア部２１及び後方コア部２３は中間コア部２２の前方及び後方にそれぞれ位置する。中間コア部２２は中間領域Ｍ２にほぼ対応する。吸収性コア２０は、横方向Ｙにおいて左右対称な平面形状を有する。
【００２３】
図４に示すように、吸収性コア２０は、縦方向Ｘに沿って延びる複数の縦溝部２５及び横方向Ｙに沿って延びる複数の横溝部２６を有する。吸収性コア２０は、複数の縦溝部２５及び複数の横溝部２６により、複数のブロック部２７に分割されている。
縦溝部２５及び横溝部２６は、ブロック部２７よりも低い坪量を有し、ブロック部２７の上面から厚み方向Ｚ下方に向かって形成された溝で構成される。つまり、縦溝部２５及び横溝部２６は、ブロック部２７よりも剛性が低い領域となる。これにより、ナプキン１に外力が付加された場合に、吸収性コア２０が縦溝部２５及び横溝部２６で変形しやすくなり、縦方向Ｘ及び横方向Ｙのいずれの方向の外力に対しても柔軟に構成される。
【００２４】
ブロック部２７は、高坪量ブロック部２７Ａと、低坪量ブロック部２７Ｂを有する。高坪量ブロック部２７Ａは低坪量ブロック部２７Ｂよりも坪量の高いブロック部である。高坪量ブロック部２７Ａは低坪量ブロック部２７Ｂよりも厚み方向Ｚに厚く構成される。図４では、高坪量ブロック部２７Ａをドットで示し、低坪量ブロック部２７Ｂを無地で示している。
【００２５】
複数の高坪量ブロック部２７Ａと、隣り合う高坪量ブロック部２７間に位置する縦溝部２５及び横溝部２６とが位置する領域を高坪量部２４と称する。高坪量部２４は、中間コア部２２の横方向Ｙ中央部６１に位置する。高坪量部２４は、縦方向Ｘに延び、例えば前後端縁部が縦方向Ｘに向かって凸な曲線状に構成される。
【００２６】
複数の低坪量ブロック部２７Ｂと各低坪量ブロック部２７Ｂの周囲に位置する縦溝部２５及び横溝部２６とが形成される領域を低坪量部２８と称する。低坪量部２８は、中間コア部２２の横方向Ｙにおける両側方部６２、前方コア部２１及び後方コア部２３に位置する。
【００２７】
本実施形態では、高坪量部２４が低坪量部２８よりも表面シート１２側に突出している。尚、高坪量部２４が、裏面シート１３側に突出した構成としてもよい。
吸収性コア２０の中間コア部２２の横方向Ｙ中央部６１に高坪量部２４を設けることで、中間コア部２２の排泄部に対するフィット性及び体液の吸収性を向上させることができる。
【００２８】
本実施形態のナプキン１では、一対のウイング部Ｗは、中間コア部２２を挟んで横方向Ｙに互いに対向して配されている。
ナプキン１の着用時、中間領域Ｍ２に位置するウイング部Ｗを折り曲げ下着の外面に固定した場合、高坪量部２４と低坪量部２８との剛性差によって、高坪量部２４が着用者の排泄部側へと起立しやすくなる。これにより、中間コア部２２が装着者の排泄部付近にフィットしやすくなり、ナプキン１と肌との隙間が減少し、液漏れを抑制することができる。
【００２９】
吸収体１１において、コアラップシート７と吸収性コア２０とは、前方圧搾領域２、後方圧搾領域４及び防漏溝３８の部分で圧搾されて一体化されているが、それ以外の領域では一体化されておらず、コアラップシート７は縦溝部２５及び横溝部２６に追従していない形状をとる。
これにより表面シート１２、コアラップシート７を介して吸収性コア２０に吸収され、縦溝部２５及び横溝部２６を伝って縦方向及び横方向に広がる体液が、着用者の肌側に位置する表面シート１２に戻りにくくなり、不快感を軽減させることができる。
【００３０】
（コアラップシートの構成）
コアラップシート７は、吸収性コア２０を被覆する。コアラップシート７は、吸収性コア２０の少なくとも肌対向面２９ａを覆うように位置すればよい。本実施形態では、１枚のコアラップシート７で吸収性コア２０全体を覆い、コアラップシート７により肌対向面２９ａ及び非肌対向面２９ｂの双方が覆われている。
【００３１】
コアラップシート７は例えば被覆前の形状が略矩形状を有し、図２に示すように、吸収性コア２０の肌対向面２９ａ、非肌対向面２９ｂ、横方向Ｙにおける両側端縁を覆うように吸収性コア２０を覆ったときに対向する一対の端部が互いに重なりあって非肌対向面２９ｂ側に位置するように配置される。非肌対向面２９ｂ側でコアラップシート７が２枚重なる多層コアラップシート領域７０は、縦方向Ｘに延在し、吸収体１１の横方向Ｙの中央部６１に位置する。
尚、ここでは、コアラップシート７が２枚重なった部分は肌対向面２９ａ側に位置する例をあげたが、非肌対向面２９ｂ側に位置してもよい。
【００３２】
吸収性コア２０の肌対向面２９ａとコアラップシート７とは、両者の間に縦方向Ｘに延在し横方向Ｙに間欠配置された複数の接着剤により接着されている。この接着剤によって吸収性コア２０の肌対向面２９ａ側に吸水性ポリマーが位置するようにすることができる。すなわち、ナプキン１の製造時に、吸収性コア２０に分散されている吸水性ポリマーのうち肌対向面２９ａ側に位置する吸水性ポリマーが裏面シート１３側に脱落するのを、接着剤によって抑制することができる。従って、ナプキン１の使用時、吸収性コア２０が繰り返し体液を吸収しても、接着剤によって肌対向面２９ａ側に位置するように保持された吸水性ポリマーによって体液が効率よく吸水され、肌対向面２９ａ側に液が滞留しにくくなり、ドライ感を長時間保持することができる。
【００３３】
図３に示すように、吸収体１１において、コアラップシート７は、縦方向Ｘにおける前端縁７ａ及び後端縁７ｂを有し、前端縁７ａから後端縁７ｂに向かって縦方向Ｘに延びる。前端縁７ａは前方領域Ｍ１内に位置し、後端縁７ｂは後方領域Ｍ３に位置している。
吸収体１１の状態で、コアラップシート７は、前端縁７ａ及び後端縁７ｂが縦方向Ｘに向かって凸な曲線状に構成される。
【００３４】
コアラップシート７は、典型的には、親水性繊維を主体とする不織布、紙などのシート状物である。コアラップシート７に含まれる親水性繊維としては、針葉樹パルプや広葉樹パルプ等の木材パルプ、綿パルプや麻パルプ等の非木材パルプ等の天然繊維；カチオン化パルプ、マーセル化パルプ等の変性パルプ；キュプラ、レーヨン等の再生繊維；アセテート等の半合成繊維；ポリビニルアルコール繊維、ポリアクリロニトリル繊維等の親水性合成繊維；ポリエチレンテレフタレート繊維、ポリエチレン繊維、ポリプロピレン繊維、ポリエステル繊維等の合成繊維に親水化処理を施した繊維等が挙げられ、これらの１種を単独で又は２種以上を混合して用いることができる。コアラップシート７における親水性繊維の典型的なものは、天然繊維、セルロース系の再生繊維又は半合成繊維である。コアラップシート７は、親水性繊維に加えてさらに、合成繊維（疎水性繊維）、例えば熱可塑性繊維を含んでもよい。熱可塑性繊維としては、例えばポリエチレン、ポリプロピレン、ポリエステル、ポリウレタン等の単一の合成樹脂を用いて形成された単一繊維、あるいは、これら２種以上の複合体等の合成樹脂を用いて形成された複合繊維、例えば、２種以上の合成樹脂を用いて形成した芯鞘型、サイドバイサイド型等の複合繊維を用いることもできる。
ム塩が挙げられ、これらからなる群から選ばれる少なくとも１種を含有することが好ましい。これらのカチオン性抗菌剤は１種を単独で用いても良く、２種以上を組み合わせても良い。
【００３５】
（吸収性コアとコアラップシートの位置関係）
図３に示すように、吸収体１１では、厚み方向Ｚからの平面視で、コアラップシート７の前端縁７ａ及び後端縁７ｂそれぞれが、吸収性コア２０の前端縁２０ａ及び後端縁２０ｂそれぞれから延在している。平面視での吸収体１１の外形は、コアラップシート７の外形と一致している。
吸収体１１の前端部１１ａにおいて、平面視でコアラップシート７のみが存在する領域と、コアラップシート７と吸収性コア２０とが積層した領域とがある。同様に、吸収体１１の後端部１１ｂにおいて、平面視でコアラップシート７のみが存在する領域と、コアラップシート７と吸収性コア２０とが積層した領域とがある。
吸収体１１の前端部１１ａ（後端部１１ｂ）において、コアラップシート７が吸収性コア２０よりも縦方向Ｘに飛び出して延在し、コアラップシート７のみが存在する部分を前方延在部７１ａ（後方延在部７１ｂ）と称する。図３において、ドットで埋められていない無地の領域が前方延在部７１ａ及び後方延在部７１ｂに相当する。
前方延在部７１ａ及び後方延在部７１ｂは、その縦方向Ｘにおける長さが、横方向Ｙ中央部６１で長く、横方向Ｙ中央部６１から横方向Ｙ外側に向かって短くなっていく形状を有している。
【００３６】
図２に示すように、吸収体１１において、多層コアラップシート領域７０にはコアラップシート７が３枚存在する。多層コアラップシート領域７０を間に介して横方向Ｙの両側に位置する側方部にはコアラップシート７が２枚存在する。多層コアラップシート領域７０は、平面視で吸収体１１の横方向Ｙ中央部６１に位置する。
【００３７】
吸収性コア２０の肌対向面２９ａとコアラップシート７とは、両者の間に縦方向Ｘに延在し横方向Ｙに間欠配置された複数の接着剤により接着されている。これにより、接着剤によって肌対向面２９ａ側に位置するように吸水性ポリマーを保持することができ、ナプキン１の製造時に、吸収性コア２０に分散されている吸水性ポリマーのうち肌対向面２９ａ側に位置する吸水性ポリマーが裏面シート１３側に脱落しにくくなる。従って、ナプキン１の使用時、吸収性コア２０が繰り返し体液を吸収しても、肌対向面２９ａ側に位置する吸水性ポリマーによって体液が効率よく吸収され、肌対向面２９ａ側に液が滞留しにくくなり、ドライ感を長時間保持することができる。
【００３８】
（圧搾領域の構成）
図３に示すように、吸収体１１は、前端部１１ａ及び後端部１１ｂにそれぞれ形成された前方圧搾領域２及び後方圧搾領域４を有する。前方圧搾領域２及び後方圧搾領域４は、吸収体１１の横方向Ｙ中央部６１に配置され、吸収体１１の横方向Ｙの側端縁よりも横方向Ｙ内側に配置される。また、前方圧搾領域２及び後方圧搾領域４は、それぞれ、前方領域Ｍ１及び後方領域Ｍ３内のみに存在している。
前方圧搾領域２は、吸収体１１の前端部１１ａの端縁まで形成される。前方圧搾領域２は、前端部１１ａにおいて、コアラップシート７のみの領域である前方延在部７１ａと、コアラップシート７と吸収性コア２０とが重なった領域との双方に跨って形成される。
後方圧搾領域４は、吸収体１１の後端部１１ｂの端縁まで形成される。後方圧搾領域４は、後端部１１ｂにおいて、コアラップシート７のみの領域である後方延在部７１ｂと、コアラップシート７と吸収性コア２０とが重なった領域との双方に跨って形成される。
図２に示すように、前方圧搾領域２及び後方圧搾領域４は、それぞれ、平面視で３枚のコアラップシートが存在する多層コアラップシート領域７０と重なっている。
【００３９】
前方圧搾領域２及び後方圧搾領域４は、いずれも、吸収性コア２０がコアラップシート７で被覆された状態の吸収体１１全体を厚み方向Ｚに圧搾加工することによって形成される。
前方圧搾領域２及び後方圧搾領域４において、コアラップシート７と吸収性コア２０とが重なった領域では、吸収性コア２０とコアラップシート７とは圧搾加工により一体化している。
一方、コアラップシート７のみの領域である前方延在部７１ａ及び後方延在部７１ｂでは、複数枚のコアラップシート７が圧搾加工により軽く一体化している。前方圧搾領域２及び後方圧搾領域４は、それぞれ、前方延在部７１ａ及び後方延在部７１ｂの横方向Ｙ中央部６１に形成され、両側方部６２には形成されていない。前方延在部７１ａ及び後方延在部７１ｂの横方向Ｙ中央部６１には多層コアラップシート領域７０が位置しており、前方圧搾領域２及び後方圧搾領域４において、多層コアラップシート領域７０では３枚のコアラップシート７が圧搾加工され、その他の領域では２枚のコアラップシート７が圧搾加工されている。圧搾加工されている領域は圧搾加工されていない領域よりも剛性が高くなる。
【００４０】
前方圧搾領域２は、縦方向Ｘに線状に延在し、横方向Ｙに間欠して位置する複数の圧搾溝３によって構成される。後方圧搾領域４は、縦方向Ｘに線状に延在し、横方向Ｙに間欠して位置する複数の圧搾溝５によって構成される。圧搾溝３及び５は、吸収体１１の吸収性コア２０及びコアラップシート７のみが一体に陥凹しており、表面シート１２は圧縮されていない。吸収体１１の肌対向面側を上方に、非肌対向面側を下方に配置したとき、圧搾溝３及び５は、肌対向面からＺ軸方向下方に向かって圧縮されているとともに、非肌対向面からもＺ軸方向上方に向かっても圧縮されている。
線状の圧搾溝が間欠して配置されて圧搾領域が形成されることにより、圧搾領域を高い剛性としつつも柔らかさを維持することができる。
【００４１】
圧搾溝３及び５は縦方向Ｘに延びる線状の溝であり、それぞれ、吸収体１１の縦方向Ｘの側端縁から中間領域Ｍ２に向かって伸びている。
圧搾溝３及び５における「線状」は、溝の形状が平面視において直線状の態様に限られず、曲線状の態様を含む。圧搾溝３及び５における各線は、連続線でも破線でも良い。例えば、圧搾溝３及び５は、不連続な多数の凹部（例えば、点エンボス）が列をなして形成されていてもよい。
また、本実施形態においては、圧搾溝は縦方向Ｘに延びる線状の溝としたが、圧搾溝の形状はこれに限定されない。横方向Ｙに延びる線状の溝としてもよい。また、点状の圧搾溝がマトリクス状に配置されて圧搾領域を構成してもよい。
【００４２】
（防漏溝の構成）
吸収体１１及び表面シート１２には、表面シート１２側から厚み方向Ｚに圧搾加工することによって形成された防漏溝３８が設けられている。防漏溝３８は、表面シート１２及び吸収性コア２０が裏面シート１３側に向かって一体的に凹陥した構成を有する。防漏溝３８は、本体Ｍの周縁に形成された圧搾溝であり、他の圧搾されていない領域と比較して剛性が高く、変形しにくい部分となる。
【００４３】
図３に示すように、防漏溝３８は、縦方向Ｘに延びる線状の防漏縦溝３８ａと、横方向Ｙに延びる防漏横溝３８ｂと、を有する。防漏縦溝３８ａと防漏横溝３８ｂとは、連なって１つの略長円形状を形成するが、非連続であってもよい。防漏溝３８は、高坪量部２４を囲むように吸収体１１の周縁に沿って位置する。
防漏縦溝３８ａにおいて「線状に縦方向Ｘに延びる」とは、縦方向Ｘに平行な態様に限定されない。例えば、図３に示すように、平面視において、全体として縦方向Ｘに向かって延びている部分を「線状に縦方向Ｘに延びる」と表現でき、横方向Ｙの中心線に向かって延びる、防漏溝の左右一対の線分が１点で収束する場合、当該線分は後述する「横方向Ｙに延びる」防漏溝として、区別できる。なお、「線状に縦方向Ｘに延びる」防漏溝としては、横方向Ｙにおける長さｅが、縦方向Ｘの各領域（Ｍ１，Ｍ２及びＭ３）において、７ｍｍの縦方向Ｘに長手方向を有する仮想の矩形４１内に位置するように前方から後方に向かって延びる態様であることが好ましい。したがって、防漏縦溝３８ａは、直線状であってもよいし、湾曲していてもよいし、蛇行していてもよい。
縦方向Ｘに延びる線状の防漏縦溝３８ａは、前方領域Ｍ１の一部、排泄部の対向領域となる中間領域Ｍ２、後方領域Ｍ３の一部に亘って位置する。
また、防漏横溝３８ｂにおいて「横方向Ｙに延びる」とは横方向Ｙに平行な態様に限定されず、横方向Ｙにおける一方の側方から他方の側方に向かって延びる態様を広く含むものとする。したがって、防漏横溝３８ｂは、吸収体１１において、直線状であってもよいし、湾曲していてもよいし、蛇行していてもよい。防漏横溝３８ｂは、前方領域Ｍ１及び後方領域Ｍ３それぞれの横方向Ｙ両側縁よりも中央部側に位置する。
【００４４】
図３に示すように、防漏縦溝３８ａは線状に縦方向Ｘに延び、横方向Ｙに吸収体１１を二等分する中心線５５を間に介して一対位置する。
防漏横溝３８ｂは中心線５５を跨いで横方向Ｙに延び、縦方向Ｘに沿って一対位置し、一方の防漏横溝３８ｂは前方側に位置し、他方の防漏横溝３８ｂは後方側に位置する。
防漏溝３８は、高坪量部２４を囲むように位置し、両者は平面視で重なりあっていない。
【００４５】
防漏溝３８は、熱を伴うか又は伴わない圧搾加工、あるいは超音波エンボス等のエンボス加工により常法に従って形成することができる。防漏溝３８においては、表面シート１２及び吸収体１１が熱融着等により一体化している。
つまり、防漏溝３８は、周囲の領域と比較して圧密化されている。これにより、防漏溝３８は、毛細管現象によって圧密化された繊維間に体液を引き込み、延在方向である縦方向Ｘに当該液を拡散させることで、横方向Ｙの液の漏れを防止する作用を有する。このように防漏溝３８を設けることにより防漏性を確保しつつ着用者の排泄部付近のドライ感を確保することができる。
【００４６】
（吸収体の前後端部の構成）
図５において、前方領域Ｍ１及び後方領域Ｍ３それぞれにおいて、一対の防漏縦溝３８ａの横方向Ｙの間隔が最も広い最広部Ｄを通る縦方向Ｘに平行な一対の第１の仮想線５４をひく。また、一対の防漏横溝３８ｂの縦方向Ｘにおける最端部を通る横方向Ｙに平行な一対の第２の仮想線５６をひく。
平面視で、前方領域Ｍ１及び後方領域Ｍ３において、一対の第１の仮想線５４よりも横方向Ｙ外側の領域であって一対の第２の仮想線５６よりも縦方向Ｘ外側にある領域を第１の領域Ａとする。前方領域Ｍ１及び後方領域Ｍ３において、一対の第１の仮想線５４よりも横方向Ｙ外側の領域であって第２の仮想線５６よりも縦方向Ｘ内側にある領域を第２の領域Ｂとする。図５において、第１の領域Ａ及び第２の領域Ｂを、それぞれ密度の異なるドットで区別して示している。
【００４７】
吸収体１１において、第１の領域Ａは、防漏溝３８が存在しない領域である。更に、第１の領域Ａには前方圧搾領域２及び後方圧搾領域４は存在していない。第１の領域Ａは、積層された吸収性コア２０とコアラップシート７が存在する領域と、コアラップシート７のみが存在する領域と、を有する。
第２の領域Ｂは、防漏溝３８が存在しない領域である。第２の領域Ｂには積層された吸収性コア２０とコアラップシート７とが存在する。
第２の領域Ｂに存在する吸収性コア２０と、第１の領域Ａに存在する吸収性コア２０とは、パルプ密度、坪量及び厚みが同じとなっている。尚、第１の領域Ａにおいて、コアラップシート７のみが存在する領域には吸収性コア２０が存在しないため、第１の領域Ａのコアラップシート７のみの領域における吸収性コア２０のパルプ密度は０である。このため、第１の領域Ａは、第２の領域Ｂよりもパルプ密度が低くなっている。
防漏溝３８が形成される領域Ｃは、積層された吸収性コア２０とコアラップシート７とが圧搾加工された領域である。領域Ｃに位置する吸収性コア２０は、圧搾加工がなされていない第１の領域Ａ及び第２の領域Ｂに位置する吸収性コア２０よりも、はるかにパルプ密度が高くなっている。
尚、吸収性コア２０のパルプ密度は、縦溝部２５及び横溝部２６を除いたブロック部２７におけるパルプ密度を示す。
【００４８】
このように、本実施形態では、防漏縦溝３８ａ、第２の領域Ｂ及び第１の領域Ａの吸収性コア２０とコアラップシート７が積層されている領域、第１の領域Ａのコアラップシート７のみの領域の順番で、パルプ密度が段々と低くなっている。すなわち、吸収体１１は、前方領域Ｍ１及び後方領域Ｍ３それぞれの横方向Ｙ側方部６２において、図５に示す矢印のようにナプキン１の内側から前後方外側に向かってパルプ密度が段階的に低くなっていくように構成される。
【００４９】
上述したように防漏縦溝３８ａが設けられることにより、着用者の排泄部の対向領域となる中間領域Ｍ２で吸収された体液は防漏縦溝３８ａの延在方向である前後方向に拡散される。防漏縦溝３８ａに近く位置する第２の領域Ｂは、防漏縦溝３８ａよりもはるかにパルプ密度が低いため、防漏縦溝３８ａから第２の領域Ｂへ体液は誘導されにくい。しかし、一対の防漏縦溝３８ａ、３８ａ間の間隔が、最も広い部分から狭まり始める部分においては、排泄部の対向領域である中間領域Ｍ２から拡散されてきた体液がそのまま縦方向Ｘに拡散され易くなっている。そうなると、面方向に拡散した体液が吸収体の縁部から漏れ出てしまう危険性が高まる。このような課題に対して、本発明では、更に、吸収体１１の前後端部１１ａ、１１ｂの横方向Ｙ両側方部６２に位置する第１の領域Ａには、第２の領域Ｂよりもパルプ密度が高い領域が存在せず、第２の領域Ｂに存在する吸収性コア２０のパルプ密度以下の領域しかないため、第２の領域Ｂから第１の領域Ａへと体液が誘導されにくい。
このように、ナプキン１において、吸収体１１の前方領域Ｍ１及び後方領域Ｍ３それぞれの横方向Ｙ側方部６２では、内側から前後方外側に向かって吸収体１１のパルプ密度が低くなっていくように構成されているので、低密度から高密度への体液の移動が抑制される。したがって、防漏溝３８により前後方に拡散した体液は、ナプキン１の前後端部へと拡散されにくくなり、ナプキン１の前後端部からの液漏れが抑制される。特に、着用感向上目的で、吸収体１１の、前方領域Ｍ１及び後方領域Ｍ３に位置する部分の少なくとも一方において、上記縦方向の長さが、上記横方向中央部よりも上記横方向両側方部の方が短い形状とした場合には、本発明の上述した効果が有益である。
【００５０】
また、本実施形態では、第１の領域Ａに位置する吸収性コア２０は、第２の領域Ｂの吸収性コア２０と同じ厚み、同じパルプ密度を有する。これにより、第１の領域Ａに位置する吸収性コア２０は、第２の領域Ｂの吸収性コア２０と同等のパルプ空隙を備え、パルプ密度が高い場合と比較して多くのパルプ空隙を有することとなり、より多くの体液を保持することができ、液漏れが抑制される。
【００５１】
また、吸収体１１が、コアラップシート７のみが存在する前方延在部７１ａ及び後方延在部７１ｂを有することにより、吸収性コア２０の前端縁２０ａ、後端縁２０ｂまで体液が到達したあとに外力が加わっても、前方延在部７１ａ及び後方延在部７１ｂのコアラップシート７、及び、コアラップシート７と吸収性コア２０との間の空間で、体液を一時的に保持することができる。これにより、体液が多いときや長時間の使用時においても漏れを抑制することができる。更に、図３及び５に示すように、前方延在部７１ａは、吸収体１１の縦方向端部において、横方向Ｙの両側部側よりも中央部において、縦方向の長さが長くなっている。このため、第１領域Ａから面方向に拡散して前方延在部７１ａに至った体液を一時的に保持できる量が中央領域６１で多く、その体液は、重力に従って、装着中の下側に位置する吸収性コア２０へと戻されて、体液の漏れが抑制し易くなる。この効果は、後方延在部７１ｂにおいても同様である。
【００５２】
図３に示すように、吸収体１１において、前方延在部７１ａ（後方延在部７１ｂ）の横方向Ｙ中央部６１には前方圧搾領域２（後方圧搾領域４）が設けられ、横方向Ｙ両側方部６２には圧搾領域は設けられていない。吸収体１１において、前方延在部７１ａ及び後方延在部７１ｂは、その縦方向Ｘにおける長さが、横方向Ｙ中央部６１で長く、横方向Ｙ中央部６１から横方向Ｙ外側に向かって短くなる形状を有している。
【００５３】
このように、吸収体１１の前端部１１ａ及び後端部１１ｂの横方向Ｙ中央部６１では、前方圧搾領域２及び後方圧搾領域４により、積層された複数のコアラップシート７が圧搾加工で軽く一体化されて高剛性となっているので、コアラップシート７の捲れやヨレの発生が抑制される。
更に、吸収体１１の前端部１１ａ及び後端部１１ｂにおいて、前方延在部７１ａ及び後方延在部７１ｂの縦方向Ｘの長さが中央部６１よりも両側方部６２の方が短くなるように構成され、かつ、前方延在部７１ａ及び後方延在部７１ｂの横方向Ｙ中央部６１が前方圧搾領域２及び後方圧搾領域４により軽く一体化されているので、前方延在部７１ａ及び後方延在部７１ｂの横方向Ｙ両側方部６２においてもコアラップシート７が捲れにくく、またヨレにくくなっている。
また、吸収体１１の前端部１１ａ及び後端部１１ｂの横方向Ｙ両側方部６２に圧搾領域を設けていないため、吸収体１１の前方領域Ｍ１及び後方領域Ｍ３それぞれの横方向Ｙ両側方部６２において、内側から前後方外側に向かってパルプ密度が低くなるように吸収体１１を構成することができ、吸収体１１の前後端部からの液漏れが抑制される。
【００５４】
このように、前方圧搾領域２及び後方圧搾領域４を、横方向Ｙ中央部６１に設け、横方向Ｙ両側方部６２には設けない構成とし、前方延在部７１ａ及び後方延在部７１ｂの縦方向Ｘにおける長さを横方向Ｙ中央部６１よりも両側方部６２の方が短くなるように構成することによって、吸収体１１の前後端部からの液漏れを効果的に抑制しつつ、コアラップシート７の捲れやヨレの発生を抑制することができる。
【００５５】
吸収体１１において、前方圧搾領域２及び後方圧搾領域４は、それぞれ、平面視で３枚のコアラップシートが存在する多層コアラップシート領域７０と重なっている。前方延在部７１ａ及び後方延在部７１ｂにおいて、横方向Ｙ中央部６１に位置する多層コアラップシート領域７０は、多層コアラップシート領域７０の横方向Ｙ両側方部よりも厚み方向で多くのコアラップシート７が存在しているため剛性が高くなっている。多層コアラップシート領域７０は、前方圧搾領域２及び後方圧搾領域４での圧搾加工によって更に剛性が高くなっている。
これにより、吸収体１１の前端部１１ａ及び後端部１１ｂでのコアラップシート７の折れの発生が抑制され、コアラップシート７の折れによって生じる折れ線に沿った体液の漏れの発生が抑制される。また、吸収体１１の前端部１１ａ及び後端部１１ｂの横方向Ｙ両側部から外力が加わった際に、該両側部が横方向Ｙ内側へ向かって折れ曲がる一方で、前方圧搾領域２及び後方圧搾領域４が外力による変形を抑制するので、横方向中央部６１を底として、両側部が起立した形状になり易い。該形状によって、体液が、前方コア部２１及び後方コア部２３の両側部から漏れにくくなる。更に、前述したように、図３及び５のような、前方延在部７１ａが横方向Ｙ中央６１でその両側部側より縦方向長さが長い場合には、比較的多い量の体液を一時保持したコアラップシート７から前方圧搾領域２を伝って吸収性コア２０へと体液が戻り易くなって、体液の漏れを一層抑制可能となる。この効果は、後端部１１ｂにおいても同様である。
【００５６】
[吸収体の製造方法]
次に吸収体１１の製造方法について説明する。
複数の溝部によってブロック状に区画され、凹凸構造を有する上述の吸収性コア２０は、例えば外周面に集積用凹部を有する積繊ドラムを備える積繊装置を用いて製造することができる。積繊装置では、積繊ドラムの外周面にパルプ繊維等のコア材料を供給することにより、集積用凹部内にコア材料を堆積させる。この堆積してなる積繊体を集積用凹部から離型することによって吸収性コアを得ることができる。
【００５７】
図７に示すように、積繊装置を用いて製造された複数の吸収性コア２０を互いに離間させて１枚のコアラップシート７で覆われてなる吸収体連続体６５を形成する。吸収体連続体６５において、隣り合って配置される吸収性コア２０間にはコアラップシート７のみが存在する領域がある。吸収体連続体６５の隣り合う吸収性コア２０間に位置するコアラップシート７を所定の形状にカッター（図示せず）で切断して取り除くことにより、吸収体１１が製造される。吸収体連続体６５は、その厚み方向Ｚに沿ってカッターが挿入されて切断される。
【００５８】
このように吸収体連続体６５のコアラップシート７のみを切断して製造された吸収体１１は、図３に示すように、コアラップシート７の前端縁７ａ（後端縁７ｂ）が吸収性コア２０の前端縁２０ａ（後端縁２０ｂ）よりも前方（後方）に飛び出して延在する形状を有する。
また、吸収体連続体６５のコアラップシート７のみを切断して吸収体１１を製造するため、切断時、吸収性コア２０に対してカッター挿入による厚み方向の力が加わっていない。このため、図６に示すように、吸収体１１において、吸収性コア２０の前端縁２０ａは圧密化されず、前端縁は固くならない。これにより、図５に示す第１の領域Ａに存在する吸収性コア２０の厚み及びパルプ密度が第２の領域Ｂに存在する吸収性コア２０と同じとなる吸収体１１を製造することができる。吸収性コア２０の後端縁２０ｂにおいても同様である。
ここで、厚みが同じとは±１．５ｍｍの誤差範囲を含む。パルプ密度が同じとは±０．０３ｇ／ｃｍ３の誤差範囲を含む。
【００５９】
尚、図８に示す吸収体１１のように吸収性コア２０の前端縁２０ａ（後端縁２０ｂ）とコアラップシート７の前端縁７ａ（後端縁７ｂ）とがほぼ面一となるように、コアラップシート７のみを切断して吸収体連続体６５を分断してもよい。コアラップシート７のみを切断することにより、吸収性コア２０の前後端縁は圧密化せず、第１の領域Ａに存在する吸収性コア２０のパルプ密度を第２の領域Ｂに存在する吸収性コア２０と同じとすることができる。
【００６０】
[パルプ密度の実施例]
本実施形態において、第１の領域Ａに存在する吸収性コア２０及び第２の領域Ｂに存在する吸収性コア２０のブロック部２７Ａのパルプ密度はいずれも０．０６ｇ／ｃｍ３である。防漏縦溝３８ａに存在する吸収性コア２０のパルプ密度は０．５ｇ／ｃｍ３である。
尚、これらの数値は一例であり、これらの数値に限定されない。例えば、第１の領域Ａに存在する吸収性コア２０及び第２の領域Ｂに存在する吸収性コア２０のブロック部２７Ａのパルプ密度はいずれも０．０１〜０．２ｇ／ｃｍ３であることが好ましい。防漏縦溝３８ａに存在する吸収性コア２０のパルプ密度は０．２〜１ｇ／ｃｍ３であることが好ましい。
【００６１】
[パルプ密度の測定方法]
パルプ密度は、吸収性コア２０の各領域Ａ，Ｂ，Ｃの坪量を厚みで除して算出する。
坪量の測定は次のように行うことができる。すなわち、測定対象である吸収性コア２０の各部を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
測定対象である吸収性コアの厚みの測定は、各々の部位について坪量を測定するために切り出した小片の厚みを測定することで行う。吸収性コアより切り出した小片を５ｋＰａの圧力で１０分間加圧し、除重後すぐに測定を行う。除重後のサンプルの中央域に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、上記切断されたサンプルの断面を、例えば、マイクロスコープ（ＫＥＹＥＮＣＥ社製ＶＨＸ−１０００）を用いて２０〜１００倍の倍率で観察し、測定してもよい。
【００６２】
[その他の構成例]
吸収体１１は機能剤を含んでいていてもよい。機能剤は、吸収性コア２０及びコアラップシート７の少なくとも一方に含まれる。機能剤は、コアラップシート７全面に配置されていてもよいし、コアラップシート７の一部に配合されていてもよい。また、機能剤は、コアラップシート７のみに含まれていてもよいし、吸収性コア２０のみに含まれていてもよいし、コアラップシート７及び吸収性コア２０の双方に含まれていても良い。ここでは、コアラップシート７に機能剤が含まれる例をあげる。
機能剤には、抗菌剤、消臭剤、香料、冷感剤等が含まれる。これらの各種機能剤から選択される１種又は２種以上の機能剤をコアラップシート７に配合することができる。
【００６３】
抗菌剤を、コアラップシート７に配合することにより、悪臭の主な発生原因である吸収性コア２０の内部での菌の繁殖を効果的に防止することができる。
抗菌剤には既知のものを用いることができる。抗菌剤としては、有機性の抗菌剤を用いることが好ましい。有機性の抗菌剤は、排泄物中の匂い発生原因物質が有機性である場合、匂い発生原因物質との良好な親和性から高い抗菌・消臭性が気体できる。有機性の匂い原因物質や菌との親和性の観点から、有機性のカチオン性抗菌剤が特に好ましい。カチオン性抗菌剤は、悪臭産生の制御として強い腐敗臭の発生を抑えることができる。
カチオン性抗菌剤は、有機化合物系の抗菌剤で、銀、亜鉛、銅等の金属イオン系よりも尿等の排泄物への溶出が多く抗菌作用が広範囲である。特に、ジデシルジメチルアンモニウム塩、アルキルピリジニウム塩、ベンゼトニウム塩、ベンザルコニウム塩、モノアルキルトリメチルアンモニウム塩、ジアルキルジメチルアンモニウム塩等の第四級アンモニウム塩が挙げられ、これらからなる群から選ばれる少なくとも１種を含有することが好ましい。これらのカチオン性抗菌剤は１種を単独で用いても良く、２種以上を組み合わせても良い。
【００６４】
消臭剤としては、それ自体が臭気に直接作用して、即ち臭気を吸着、中和、分解等して、消臭効果を発現し得る物質であり、当該技術分野においても消臭用途に汎用されているものを用いることができるが、臭気に対する広い消臭スペクトルを有する点から、多孔性の消臭粒体が好ましい。多孔性の消臭粒体としては、無機消臭粒体や、有機消臭粒体などがある。無機消臭粒体とは無機化合物を主体とする消臭粒体、即ち消臭粒体の骨格となる化合物が無機化合物である消臭粒体のことである。有機消臭粒体とは有機化合物を主体とする消臭粒体、即ち消臭粒体の骨格となる化合物が有機化合物である消臭粒体のことである。
このように、抗菌剤に加え消臭剤を用いることにより、更に悪臭の発生を抑制することができる。
【００６５】
好ましい無機消臭粒体としては、カンクリナイト様鉱物、ゼオライト、モンモリロナイト、活性炭等が挙げられる。これらの中でも極性を有している多孔性消臭粒体が水溶性の臭い原因物質の消臭に適しているので好ましく、更には、カンクリナイト様鉱物とゼオライトが広い消臭スペクトルを有する点から好ましい。なお、活性炭は非極性に属するので、有機性の臭い成分の消臭に有効であり、例えば、椰子殻炭、木炭、暦青炭、泥炭、亜炭等が挙げられる。ただし、有機性の香料成分が吸着されて臭いが変質することを防止する観点から、活性炭は含まれないことが好ましい。
好ましい有機消臭粒体としては、架橋性ビニルモノマー及びヘテロ芳香環を有するビニルモノマーを含むモノマー成分を共重合して得られる粒子が挙げられる。
【００６６】
香料を用いることにより排泄された液由来の匂いが香料によってマスキングされて外部へ放出され、液由来の匂いが認識されにくくなり、不快感を軽減できる。
【００６７】
香料として用いられる高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００６８】
香料として用いられる中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００６９】
香料として、上述の高揮発性及び中揮発性香料成分以外に、あるいはこれら香料成分に加えてさらに、バラ香調、ラベンダー香調、ジャスミン香調、イランイラン香調を有する香料を含有した香料組成物を用いることもできる。このような香料組成物としては、例えば、ネロール、ラバンジュロール、ジャスマール、シクロピデン等が挙げられ、これらの１種を単独で又は２種以上を組み合わせて用いることができる。香料には、上述した香料素材単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００７０】
冷感剤は、着用者の皮膚や粘膜表面の温度受容器を刺激して、皮膚や粘膜表面上の温度を変化させることなしに、着用者に冷感、爽快感を感じさせることができる剤である。
冷感剤として乳酸メンチルやメントール等を用いることができる。
【００７１】
[その他の例]
本発明は上述の実施形態にのみ限定されるものではなく種々変更を加え得ることは勿論である。
例えば、上述の実施形態においては、第１の領域Ａに存在する吸収性コアのパルプ密度と第２の領域Ｂに存在する吸収性コアのパルプ密度とが同じ例をあげたが、第１の領域Ａに存在する吸収性コアのパルプ密度を第２の領域Ｂに存在する吸収性コアのパルプ密度よりも低くしてもよい。このような吸収性コアは、積繊装置を用いて、積繊ドラムの外周面に供給するパルプ繊維等のコア材料の量を調整することにより製造することができる。
【００７２】
また、前方圧搾領域２及び後方圧搾領域４の双方を設ける例をあげたが、いずれか一方を設ける形態であってもよく、圧搾領域を設けることにより吸収性コアから延在したコアラップシートの捲れ及びヨレの発生が抑制される。
また、上述の各実施形態においては、ウイング部を備えるナプキンを例にあげて説明したが、ウイング部を有さないナプキンに適用してもよい。
【００７３】
前述した本発明の実施形態に関して、更に以下の付記を開示する。
【００７４】
（１）
表面シートと、裏面シートと、前記表面シートと前記裏面シートの間に配置された、吸収性コアと前記吸収性コアの少なくとも一部を覆うコアラップシートを有する吸収体と、を具備し、着用者の前後方向に対応する縦方向及び前記縦方向に直交する横方向を有する吸収性物品であって、前記吸収性物品は、前記吸収体の前記横方向における両側縁よりも中央部側に前記表面シートと前記吸収体を厚み方向に圧搾して形成される防漏溝を有し、前記防漏溝は、前記横方向に二分する前記縦方向に延びる中心線を介して、前記着用者の排泄部に対向する中間領域よりも前方にある前方領域から後方にある後方領域に亘って位置する前記縦方向に延びる一対の防漏縦溝と、前記前方領域及び前記後方領域それぞれに前記中心線を跨いで前記横方向に延びて位置する一対の防漏横溝と、を有し、前記前方領域及び前記後方領域それぞれにおいて、一対の前記防漏縦溝の前記横方向の間隔が最も広い最広部を規定する部分を通る前記縦方向に平行な一対の第１の仮想線を引き、一対の前記防漏横溝の前記縦方向における最端部を通る前記横方向に平行な一対の第２の仮想線を引いたとき、前記吸収体の前記前方領域及び前記後方領域それぞれにおいて、一対の前記第１の仮想線よりも前記横方向外側の領域であって一対の前記第２の仮想線よりも前記縦方向外側にある第１の領域に存在する前記吸収性コアのパルプ密度は、一対の前記第１の仮想線よりも前記横方向外側の領域であって前記第２の仮想線よりも前記縦方向内側にある第２の領域に存在する前記吸収性コアのパルプ密度以下である、吸収性物品。
（２）
前記吸収体の前記第２の領域に存在する前記吸収性コアのパルプ密度は、前記防漏溝が形成される領域に存在する前記吸収性コアのパルプ密度よりも小さい、（１）に記載の吸収性物品。
（３）
前記吸収体は、前記厚み方向からの平面視で、前記コアラップシートが前記吸収性コアの前記縦方向における前端縁及び後端縁の少なくとも一方から延在して構成される、（１）又は（２）に記載の吸収性物品。
（４）
前記吸収体は、前記前方領域及び前記後方領域の少なくとも一方で、前記縦方向の長さが、前記横方向中央部よりも前記横方向両側方部の方が短い形状である、（１）〜（３）のいずれか１つに記載の吸収性物品。
（５）
平面視で前記吸収性コアから延在する部分の前記コアラップシートは、前記縦方向の長さが、前記横方向中央部よりも前記横方向両側方部の方が短い形状を有し、前記吸収体は、前記縦方向における前端部及び後端部の少なくとも一方の前記横方向中央部に、厚み方向に圧搾されて形成される圧搾領域を有する、（３）又は（４）に記載の吸収性物品。
（６）
前記圧搾領域は、前記縦方向に延びる線状の複数の圧搾溝が前記横方向に間欠配置されて構成される、（５）に記載の吸収性物品。
（７）
前記圧搾領域は、前記縦方向における前端部及び後端部の両方に設けられている、（５）又は（６）に記載の吸収性物品。
（８）
前記吸収体は、前記横方向中央部に配置される前記コアラップシートの枚数が前記横方向両側方部よりも多い多層コアラップシート領域を有し、前記多層コアラップシート領域と前記圧搾領域とは平面視で重なっている、（５）〜（７）の何れか１つに記載の吸収性物品。
（９）
前記第１の領域に位置する吸収性コアは、前記第２の領域の吸収性コアと同じ厚み、同じパルプ密度を有する、（１）〜（８）の何れか１つに記載の吸収性物品。
（１０）
前記吸収性コアは、縦方向に沿って延びる複数の縦溝部及び横方向に沿って延びる複数の横溝部を有し、複数のブロック部に分割されており、前記縦溝部及び前記横溝部は、前記ブロック部よりも低い坪量を有する、（１）〜（９）の何れか１つに記載の吸収性物品。
（１１）
前記ブロック部は、高坪量ブロック部と、該高坪量ブロック部よりも坪量が低い低坪量ブロック部を有し、前記高坪量ブロック部は前記低坪量ブロック部よりも厚み方向に厚く構成されている、（１０）に記載の吸収性物品
（１２）
前記高坪量部が前記低坪量部よりも表面シート１２側に突出している、前記（１１）に記載の吸収性物品。
（１３）
前記複数の高坪量ブロック部と、隣り合う高坪量ブロック部間に位置する縦溝部及び横溝部とが位置する領域である高坪量部が、横方向両側部に位置する低坪量部を含む低坪量部に挟まれて、前記中間領域に位置する中間コア部の横方向中央部に配される、（１１）又は（１２）に記載の吸収性物品。
（１４）
生理用ナプキンである、（１）〜（１３）の何れか１つに記載の吸収性物品。
【符号の説明】
【００７５】
１…ナプキン（吸収性物品）
７…コアラップシート
１１…吸収体
１２…表面シート
１３…裏面シート
２０…吸収性コア
３８…防漏溝
３８ａ…防漏縦溝
３８ｂ…防漏横溝
５４…第１の仮想線
５５…中心線
５６…第２の仮想線
Ｍ１…前方領域
Ｍ２…中間領域
Ｍ３…後方領域
Ａ…第１の領域
Ｂ…第２の領域
Ｃ…防漏溝が形成される領域
【図１】
2020188935.tif 000003
【図２】
2020188935.tif 000004
【図３】
2020188935.tif 000005
【図４】
2020188935.tif 000006
【図５】
2020188935.tif 000007
【図６】
2020188935.tif 000008
【図７】
2020188935.tif 000009
【図８】
2020188935.tif 000010